【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線管と、
前記Ｘ線管から照射され前記被検体を透過したＸ線を検出するＸ線検出部と、
前記Ｘ線検出部によって検出されたＸ線検出情報および心電計によって取得された前記被検体の心電波形に基づいて、当該被検体における心臓の断層画像を再構成する画像再構成部と、
前記心電計から取得される心電波形から所定の特徴波を検出する特徴波検出部と、
前記特徴波検出部によって検出された前記所定の特徴波の出現間隔に基づいて、前記Ｘ線検出情報を収集する期間であるＸ線検出情報収集期間を決定するＸ線照射制御部と、
前記Ｘ線検出情報の収集開始指示を受け付ける入力部と、
前記入力部によって前記収集開始指示を受け付けた時点から、前記特徴波検出部によって検出された前記所定の特徴波の出現間隔が正常心拍であるか心拍異常であるかの心拍判定を行なう心拍判定部と、
前記入力部によって前記収集開始指示を受け付けてから前記Ｘ線照射制御部によって決定された前記Ｘ線検出情報の収集を開始する時期が到達するまでの間、前記心拍判定部によって心拍異常と判定された場合は、前記Ｘ線検出情報収集期間を再度算出して決定するように前記Ｘ線照射制御部を制御する制御部と、
を備える、Ｘ線コンピュータ断層撮影装置。
【請求項２】
前記入力部によって前記収集開始指示を受け付ける前から、前記特徴波検出部によって検出された前記心電波形ごとの前記所定の特徴波の出現時期に基づいて、特徴波が出現する間隔時間を予測する特徴波出現間隔予測部をさらに備え、
前記心拍判定部は、前記特徴波出現間隔予測部によって予測された前記間隔時間に基づいて心拍判定を行ない、
前記Ｘ線照射制御部は、前記特徴波出現間隔予測部によって予測された前記間隔時間を用いて前記Ｘ線検出情報収集期間を決定する、請求項１に記載のＸ線コンピュータ断層撮影装置。
【請求項３】
前記制御部は、前記入力部によって前記収集開始指示を受け付けてから前記Ｘ線照射制御部によって決定された前記Ｘ線検出情報の収集を開始する時期が到達するまでの間、前記特徴波検出部によって検出された前記所定の特徴波の出現間隔の心拍判定を行なう場合、前記特徴波出現間隔予測部によって予測された最新の間隔時間に基づいて心拍判定を行なうように前記心拍判定部を制御し、前記Ｘ線検出情報収集期間を再度算出する場合、前記特徴波出現間隔予測部によって予測された最新の間隔時間を用いるように前記Ｘ線照射制御部を制御する、請求項２に記載のＸ線コンピュータ断層撮影装置。
【請求項４】
前記制御部は、前記Ｘ線照射制御部によって決定された前記Ｘ線検出情報の収集を開始する時期の直前において前記特徴波検出部によって前記所定の特徴波が検出された時点が前記心拍判定部によって正常心拍と判定される時点である場合、前記Ｘ線検出情報の収集を開始するように前記Ｘ線管を制御する、請求項３に記載のＸ線コンピュータ断層撮影装置。
【請求項５】
前記制御部は、前記Ｘ線管からＸ線の照射が開始された後において、前記特徴波検出部によって検出された前記所定の特徴波の出現間隔が前記心拍判定部によって正常心拍と判定された場合、当該所定の特徴波の出現間隔を用いて、前記間隔時間の予測を更新するように前記特徴波出現間隔予測部を制御するとともに、前記特徴波検出部によって検出された前記所定の特徴波の出現間隔が前記心拍判定部によって心拍異常と判定された場合、前記Ｘ線検出情報収集期間を再度算出するように前記Ｘ線照射制御部を制御する、請求項４に記載のＸ線コンピュータ断層撮影装置。
【請求項６】
前記制御部は、正常心拍における前記Ｘ線検出情報を、所定の心拍数収集した時点で、前記Ｘ線検出情報の収集を終了するように前記Ｘ線管を制御する、請求項５に記載のＸ線コンピュータ断層撮影装置。
【請求項７】
前記制御部は、前記特徴波検出部によって検出された前記所定の特徴波の出現間隔が前記心拍判定部によって心拍異常と判定される場合、前記心電波形において予め設定された所定の特定位相の範囲を拡げるように再設定した上で、前記Ｘ線検出情報収集期間を再度算出するように前記Ｘ線照射制御部を制御する、請求項６に記載のＸ線コンピュータ断層撮影装置。
【請求項８】
Ｘ線管がＸ線を発生し、
Ｘ線検出部が前記Ｘ線管から発生され被検体を透過したＸ線を検出し、
画像再構成部が前記Ｘ線検出部によって検出されたＸ線検出情報および心電計によって取得された前記被検体の心電波形に基づいて、当該被検体における心臓の断層画像を再構成し、
特徴波検出部が前記心電計から取得される心電波形から所定の特徴波を検出し、
Ｘ線照射制御部が前記特徴波検出部によって検出された前記所定の特徴波の出現間隔に基づいて、前記Ｘ線検出情報を収集する期間であるＸ線検出情報収集期間を決定し、
入力部が前記Ｘ線検出情報の収集開始指示を受け付け、
心拍判定部が前記入力部によって前記収集開始指示を受け付けた時点から、前記特徴波検出部によって検出された前記所定の特徴波の出現間隔が正常心拍であるか心拍異常であるかの心拍判定を行ない、
制御部が前記入力部によって前記収集開始指示を受け付けてから前記Ｘ線照射制御部によって決定された前記Ｘ線検出情報の収集を開始する時期が到達するまでの間、前記心拍判定部によって心拍異常と判定された場合は、前記Ｘ線検出情報収集期間を再度算出して決定するように前記Ｘ線照射制御部を制御する、
ことを含む、断層撮影方法。
【手続補正２】
【補正対象書類名】明細書
【補正対象項目名】００１４
【補正方法】変更
【補正の内容】
【００１４】
上述した課題を解決し、目的を達成するため、請求項１記載の本発明は、被検体にＸ線を照射するＸ線管と、前記Ｘ線管から照射され前記被検体を透過したＸ線を検出するＸ線検出部と、前記Ｘ線検出部によって検出されたＸ線検出情報および心電計によって取得された前記被検体の心電波形に基づいて、当該被検体における心臓の断層画像を再構成する画像再構成部と、前記心電計から取得される心電波形から所定の特徴波を検出する特徴波検出部と、前記特徴波検出部によって検出された前記所定の特徴波の出現間隔に基づいて、前記Ｘ線検出情報を収集する期間であるＸ線検出情報収集期間を決定するＸ線照射制御部と、前記Ｘ線検出情報の収集開始指示を受け付ける入力部と、前記入力部によって前記収集開始指示を受け付けた時点から、前記特徴波検出部によって検出された前記所定の特徴波の出現間隔が正常心拍であるか心拍異常であるかの心拍判定を行なう心拍判定部と、前記入力部によって前記収集開始指示を受け付けてから前記Ｘ線照射制御部によって決定された前記Ｘ線検出情報の収集を開始する時期が到達するまでの間、前記心拍判定部によって心拍異常と判定された場合は、前記Ｘ線検出情報収集期間を再度算出して決定するように前記Ｘ線照射制御部を制御する制御部と、を備える。
【手続補正３】
【補正対象書類名】明細書
【補正対象項目名】００１５
【補正方法】変更
【補正の内容】
【００１５】
また、請求項８記載の本発明は、Ｘ線管がＸ線を発生し、Ｘ線検出部が前記Ｘ線管から発生され被検体を透過したＸ線を検出し、画像再構成部が前記Ｘ線検出部によって検出されたＸ線検出情報および心電計によって取得された前記被検体の心電波形に基づいて、当該被検体における心臓の断層画像を再構成し、特徴波検出部が前記心電計から取得される心電波形から所定の特徴波を検出し、Ｘ線照射制御部が前記特徴波検出部によって検出された前記所定の特徴波の出現間隔に基づいて、前記Ｘ線検出情報を収集する期間であるＸ線検出情報収集期間を決定し、入力部が前記Ｘ線検出情報の収集開始指示を受け付け、心拍判定部が前記入力部によって前記収集開始指示を受け付けた時点から、前記特徴波検出部によって検出された前記所定の特徴波の出現間隔が正常心拍であるか心拍異常であるかの心拍判定を行ない、制御部が前記入力部によって前記収集開始指示を受け付けてから前記Ｘ線照射制御部によって決定された前記Ｘ線検出情報の収集を開始する時期が到達するまでの間、前記心拍判定部によって心拍異常と判定された場合は、前記Ｘ線検出情報収集期間を再度算出して決定するように前記Ｘ線照射制御部を制御する、ことを含む。